(57)【要約】【課題】  音の特定の周波数帯域を減衰して定在波の発生を激減して音響環境を頗る向上させることができ、かつ、簡素な構造で施工性も良い音響調整パネル材およびそれを用いた室内構造を提供すること。【解決手段】  音源から発生した音の波長成分のうち、異なる周波数帯域の各周波数波長成分に応じた音響を調整するためのパネル材であって、略平行に互いに対向する一対の有孔ボード材１・１間に形成されたハウジング内に、天然繊維質を少なくとも含んでなる混合不織布部材２を充填収容して、前記有孔ボード材１の孔部11を通過した低周波数音域波長の音を、前記不織布部材２によって減衰および吸収する一方、有孔ボード材１の表面によって高周波数帯域波長および中周波数帯域波長の音を反射させるという技術的手段を採用した。【選択図】  図１
0003135263.tif 000002
【実用新案登録請求の範囲】
【請求項１】
音源から発生した音の波長成分のうち、異なる周波数帯域の各周波数波長成分に応じた音響を調整するためのパネル材であって、
略平行に互いに対向する一対の有孔ボード材１・１間に形成されたハウジング内に、天然繊維質を少なくとも含んでなる混合不織布部材２が充填収容されており、
前記有孔ボード材１の孔部11を通過した低周波数音域波長の音が、前記不織布部材２によって減衰および吸収される一方、
有孔ボード材１の表面によって高周波数帯域波長および中周波数帯域波長の音が反射されることを特徴とする音響調整パネル材。
【請求項２】
混合不織布部材２が天然羊毛とポリエステル繊維とを混合して作製されていることを特徴とする請求項１記載の音響調整パネル材。
【請求項３】
混合不織布部材２に混合されたポリエステル繊維が、中空繊維であることを特徴とする請求項２記載の音響調整パネル材。
【請求項４】
混合不織布部材２における天然羊毛とポリエステル繊維との混合割合が、８０〜９０：１０〜２０の重量％で作製されていることを特徴とする請求項２または３記載の音響調整パネル材。
【請求項５】
有孔ボード材１の孔部11が略等間隔に開設されていることを特徴とする請求項１〜４の何れか一つに記載の音響調整パネル材。
【請求項６】
対向する有孔ボード材１・１が、ステー部材12によって連結されていることを特徴とする請求項１〜５の何れか一つに記載の音響調整パネル材。
【請求項７】
略平行に互いに対向する一対の有孔ボード材１・１間に形成されたハウジング内に、天然繊維質を少なくとも含んでなる混合不織布部材２が充填収容されており、
前記有孔ボード材１の孔部11を通過した低周波数音域波長の音が、前記不織布部材２によって減衰および吸収される一方、
有孔ボード材１の表面によって高周波数帯域波長および中周波数帯域波長の音が反射されるようにした音響調整パネル材が構成されており、
これらの音響調整パネル材が、室内の壁面Ｗに沿って配列されており、かつ、立設壁面同士または天井との囲まれる隅角部において、当該壁面Ｗから所定間隔を設けて配設したことを特徴とする音響調整パネル材を用いた室内構造。
【考案の詳細な説明】
【技術分野】
【０００１】
本考案は、音響用具の改良、更に詳しくは、音の特定の周波数帯域を減衰して定在波の発生を激減して音響環境を頗る向上させることができ、かつ、簡素な構造で施工性も良い音響調整パネル材およびそれを用いた室内構造に関するものである。
【背景技術】
【０００２】
周知のとおり、近年では、演奏会やライブなどの生演奏だけでなく、ＣＤやレコードなどを再生して行う音楽鑑賞においても、聴取者にとっての音質に対する要求が高まってきており、音響設備についても、器具やその器具の材質、更にそれらの器具の配置方法によって音響効果は敏感に影響を受けてしまうため、非常にシビアである。
【０００３】
ところで、かかる音響環境への影響が顕著なのは定在波の存在である。定在波とは、室内において、特定の周波数について、進行波と反射波とが干渉して音の強い場所と弱い場所とが縞模様のようにできるという現象であり、音質が劣化して、音が聞き取り難くなるという問題があり、特に室内における隅角部のように、二方あるいは三方の壁面に囲まれている場所では、定在波の影響がより複雑かつ重大になる。
【０００４】
したがって、従来、種々の吸音パネルが開示されており（例えば、特許文献１参照）、音響環境の向上に対する試行錯誤が行われているものの、定在波を防止して聴取者が求める音響空間を実現するまでには至っていない。
【特許文献１】特開２００１−８１８７８号公報（第３−７頁、図１）
【考案の開示】
【考案が解決しようとする課題】
【０００５】
本考案は、従来の音響用品に上記のような問題があったことに鑑みて為されたものであり、その目的とするところは、音の特定の周波数帯域を減衰して定在波の発生を激減して音響環境を頗る向上させることができ、かつ、簡素な構造で施工性も良い音響調整パネル材およびそれを用いた室内構造を提供することにある。
【課題を解決するための手段】
【０００６】
本考案者が上記課題を解決するために採用した手段を添付図面を参照して説明すれば、次のとおりである。
【０００７】
即ち、本考案は、音源から発生した音の波長成分のうち、異なる周波数帯域の各周波数波長成分に応じた音響を調整するためのパネル材であって、
略平行に互いに対向する一対の有孔ボード材１・１間に形成されたハウジング内に、天然繊維質を少なくとも含んでなる混合不織布部材２を充填収容して、
前記有孔ボード材１の孔部11を通過した低周波数音域波長の音を、前記不織布部材２によって減衰および吸収する一方、有孔ボード材１の表面によって高周波数帯域波長および中周波数帯域波長の音を反射させるという技術的手段を採用することによって、音響調整パネル材を完成させた。
【０００８】
また、本考案は、上記課題を解決するために、必要に応じて上記手段に加え、混合不織布部材２を天然羊毛とポリエステル繊維とを混合して作製するという技術的手段を採用した。
【０００９】
更にまた、本考案は、上記課題を解決するために、必要に応じて上記手段に加え、混合不織布部材２に混合されたポリエステル繊維を、中空繊維にするという技術的手段を採用した。
【００１０】
更にまた、本考案は、上記課題を解決するために、必要に応じて上記手段に加え、混合不織布部材２における天然羊毛とポリエステル繊維との混合割合を、８０〜９０：１０〜２０の重量％で作製するという技術的手段を採用した。
【００１１】
更にまた、本考案は、上記課題を解決するために、必要に応じて上記手段に加え、有孔ボード材１の孔部11を略等間隔に開設するという技術的手段を採用した。
【００１２】
更にまた、本考案は、上記課題を解決するために、必要に応じて上記手段に加え、対向する有孔ボード材１・１を、ステー部材12によって連結するという技術的手段を採用した。
【００１３】
また、本考案は、略平行に互いに対向する一対の有孔ボード材１・１間に形成されたハウジング内に、天然繊維質を少なくとも含んでなる混合不織布部材２を充填収容して、
前記有孔ボード材１の孔部11を通過した低周波数音域波長の音を、前記不織布部材２によって減衰および吸収する一方、有孔ボード材１の表面によって高周波数帯域波長および中周波数帯域波長の音を反射するようにした音響調整パネル材を構成し、
これらの音響調整パネル材を、室内の壁面Ｗに沿って配列して、かつ、立設壁面同士または天井との囲まれる隅角部において、当該壁面Ｗから所定間隔を設けて配設するという技術的手段を採用することによって、音響調整パネル材を用いた室内構造を完成させた。
【考案の効果】
【００１４】
本考案にあっては、略平行に互いに対向する一対の有孔ボード材間に形成されたハウジング内に、天然繊維質を少なくとも含んでなる混合不織布部材を充填収容したことによって、前記有孔ボード材の孔部を通過した低周波数音域波長の音を、前記不織布部材によって減衰および吸収する一方、有孔ボード材の表面によって高周波数帯域波長および中周波数帯域波長の音を反射することができる。
【００１５】
したがって、本考案における音響調整パネル材によれば、音の特定の周波数帯域を減衰して定在波の発生を激減して音響環境を頗る向上させることができ、かつ、簡素な構造で施工性も良いことから、この音響調整パネル材を用いて室内構造を構成することにも非常に適しており、実用的利用価値は頗る高いと云える。
【考案を実施するための最良の形態】
【００１６】
本考案を実施するための最良の形態を具体的に図示した図面に基づいて更に詳細に説明すると、次のとおりである。
【００１７】
本考案の実施形態を図１から図５に基づいて説明する。図中、符号１で指示するものは有孔ボード材であり、この有孔ボード材１は、多数の孔部11・11…が開設された有孔の板体である。本実施形態では、この有孔ボード１として、カラマツ、ベイスギ、ＭＤＦ、シナ、タモマサ、ナラマサ、サクラなどの単板あるいはこれらの合板を採用する。
【００１８】
なお、本実施形態では、有孔ボード材１の板厚を約５．５ｍｍとし、かつ、孔部11の径を約５ｍｍにするとともに、約２５ｍｍのピッチで略等間隔に開設する。
【００１９】
また、符号２で指示するものは混合不織布部材であり、この混合不織布部材２は、天然繊維質を少なくとも含んでなり、この天然繊維質としては、天然羊毛（ウール）が好ましい。
【００２０】
更に、この混合不織布部材２を構成する混合素材としては、ポリエステル繊維を採用して作製することができ、このポリエステル繊維は、中空繊維であることが好ましい。
【００２１】
本実施形態では、混合不織布部材２における天然羊毛とポリエステル繊維との混合割合が、８０〜９０：１０〜２０の重量％で作製することができ、より好ましくは、８５：１５の比率である。ポリエステル繊維が多すぎると、低周波数帯域波長の音の吸収率が低下するからである。
【００２２】
しかして、本考案は、音源から発生した音の波長成分のうち、異なる周波数帯域の各周波数波長成分に応じた音響を調整するためのパネル材であって、構成するにあっては、まず、略平行に互いに対向する一対の有孔ボード材１・１間に形成されたハウジング内に、天然繊維質を少なくとも含んでなる混合不織布部材２を充填収容する。
【００２３】
本実施形態では、対向する有孔ボード材１・１を、ステー部材12によって連結するとともに、周縁を（木製の）側枠板３で囲んで箱型に形成する（図１参照）。このステー部材12は、木製の棒材であって、両有孔ボード材を安定的に固定するとともに、有孔ボード材の共振を防止することができる（図２参照）。
【００２４】
また、充填収容する混合不織布部材２は、好ましくは、密度が約１６ｋｇ／ｍ３のもの（コスモプロジェクト社製：商品名「サーモウール」）を採用する。
【００２５】
そして、図３に示すように、壁材Ｗの前に設置した場合には、前記有孔ボード材１の孔部11を通過した低周波数音域波長（〜５００Ｈｚ）の音が、前記不織布部材２によって減衰および吸収される。
【００２６】
一方、有孔ボード材１の表面によって高周波数帯域波長（３ｋＨｚ〜）および中周波数帯域波長（５００Ｈｚ〜３ｋＨｚ）の音が反射される。したがって、低周波数帯域の音のこもった印象を与えず、張りのある音質を実現できる。
【００２７】
次に、本考案の音響調整パネル材を用いた室内構造について説明する。音響調整パネル材については、前記同様、略平行に互いに対向する一対の有孔ボード材１・１間に形成されたハウジング内に、天然繊維質を少なくとも含んでなる混合不織布部材２を充填収容して音響調整パネル材を構成し、これらの音響調整パネル材を、室内の壁面Ｗに沿って配列して、かつ、立設壁面同士または天井との囲まれる隅角部において、当該壁面Ｗから所定間隔を設けて配設して構成する。
【００２８】
この際、音響調整パネル材を壁面Ｗから所定間隔を設けて配設することによって、透過した音も効果的に吸収することができる。本実施形態では、壁面Ｗが、図４のような立設壁面同士の場合であっても、図５のような更に天井との囲まれる場合であっても良く、このように音響調整パネル材を隅角部に配置することによって、定在波の発生を確実に激減させることができる。
【００２９】
なお、本実施形態では、有孔ボード材１の表面がフラットであるため、高周波数帯域波長および中周波数帯域波長の音が直接反射するのを防ぐために、図６に示すように、有孔ボード材１の表面において、孔部11の列間に木製などの棒材13・13…を接着剤等で固定して表面に凹凸を成形することができ、高周波数帯域波長および中周波数帯域波長の音を拡散させることができる。
【００３０】
本考案は、概ね上記のように構成されるが、本考案は図示の実施形態に限定されるものでは決してなく、「実用新案登録請求の範囲」の記載内において種々の変更が可能であって、例えば、有孔ボード材１の孔部11の径や数量、ピッチ、更に、混合不織布部材２の混合部材や比率などは、音源の音質が有する周波数帯域の特性によって、適宜調節することができ、本考案の技術的範囲に属する。
【図面の簡単な説明】
【００３１】
【図１】本考案の実施形態の音響調整パネル材を表わす全体斜視図である。
【図２】本考案の実施形態の音響調整パネル材の構造を表わす分解斜視図である。
【図３】本考案の実施形態の音響調整パネル材の作用を表わす概略図である。
【図４】本考案の実施形態の音響調整パネル材を室内に用いた状態を表わす斜視図である。
【図５】本考案の実施形態の音響調整パネル材を室内に用いた状態を表わす斜視図である。
【図６】本考案の実施形態の音響調整パネル材の変形例を表わす全体斜視図である。
【符号の説明】
【００３２】
１    有孔ボード
11    孔部
12    ステー部材
13    棒材
２    混合不織布部材
３    側枠板
Ｗ    壁面
【図１】
0003135263.tif 000003
【図２】
0003135263.tif 000004
【図３】
0003135263.tif 000005
【図４】
0003135263.tif 000006
【図５】
0003135263.tif 000007
【図６】
0003135263.tif 000008